(57)【要約】      （修正有）【課題】ネットワーク機器が一時的な場所移動により本来の設置場所以外で使用する場合に、最低限の設定情報を設定することができる機器管理システム、情報処理装置、機器管理方法およびプログラムを提供する。【解決手段】情報処理装置と、通信網を介して情報処理装置と接続される１以上の機器とを含む機器管理システムであって、情報処理装置は、１以上の機器が現在使用されている場所を示す１以上の使用場所情報ごとに、識別情報と、機器が本来設置される設置場所情報と、機器の設定情報とが対応付けられた機器設定情報を保持する機器設定情報部と、設定情報取得要求に含まれる識別情報を用いて、機器が通信網に接続した位置を特定して、機器が現在使用されている使用場所情報を取得する使用場所情報取得部と、機器設定情報の中から、受信した設定情報取得要求に含まれる識別情報と、取得した使用場所情報とを用いて、設定情報を選定する選定部と、を有する。【選択図】図３
2015166914.tif 000002
【特許請求の範囲】
【請求項１】
情報処理装置と、通信網を介して前記情報処理装置と接続される１以上の機器とを含む機器管理システムであって、
１以上の前記機器の各々は、
前記機器を識別する識別情報を含む設定情報取得要求を前記情報処理装置に送信する設定情報要求部を有し、
前記情報処理装置は、
１以上の前記機器が現在使用されている場所を示す１以上の使用場所情報ごとに、前記識別情報と、前記機器が本来設置される場所を示す設置場所情報と、前記機器の設定項目を含む設定情報とが対応付けられた情報を示す機器設定情報を保持する機器設定情報部と、
前記設定情報取得要求に含まれる前記識別情報を用いて、前記機器が前記通信網に接続した位置を特定して、前記識別情報で識別される前記機器が現在使用されている前記使用場所情報を取得する使用場所情報取得部と、
前記機器設定情報部が保持する前記機器設定情報の中から、受信した前記設定情報取得要求に含まれる前記識別情報と、取得した前記使用場所情報とを用いて、前記設定情報を選定する選定部と、を有する、
ことを特徴とする機器管理システム。
【請求項２】
１以上の前記機器の各々は、
前記情報処理装置から、選定された前記設定情報を取得する設定情報取得部と、
取得した前記設定情報に基づいて、前記機器の設定を行う設定部と、を有し、
前記情報処理装置は、
選定した前記設定情報を前記機器に送信する設定情報送信部を有する、
ことを特徴とする請求項１に記載の機器管理システム。
【請求項３】
前記設定情報要求部は、前記機器を識別する識別情報と、前記機器が本来設置される場所を示す設置場所情報とを含む設定情報取得要求を前記情報処理装置に送信し、
前記選定部は、前記機器設定情報部が保持する前記機器設定情報の中から、受信した前記設定情報取得要求に含まれる前記識別情報及び前記設置場所情報と、取得した前記使用場所情報とを用いて、前記設定情報を選定する、
ことを特徴とする請求項１に記載の機器管理システム。
【請求項４】
前記選定部は、受信した前記設定情報取得要求に含まれる前記識別情報と一致する前記識別情報に対応付けられた前記設置場所情報がない場合、ゲスト機器用の設定情報を選定することを特徴とする請求項１に記載の機器管理システム。
【請求項５】
前記ゲスト機器用の設定情報は、前記情報処理装置が接続する前記通信網に接続するための暗号鍵、および前記通信網に接続された印刷装置を利用するための識別番号の何れかを少なくとも含むことを特徴とする請求項４に記載の機器管理システム。
【請求項６】
前記機器の状態を示す状態情報を含む機器情報を取得して管理する機器管理部を有し、
前記機器管理部は、前記使用場所情報取得部が取得した前記機器の使用場所情報と、前記機器情報とを対応付けて保持することを特徴とする請求項１又は２に記載の機器管理システム。
【請求項７】
前記使用場所情報取得部は、受信した前記設定情報取得要求の識別情報に含まれるアドレス情報を用いて、前記機器が接続した予め保持する無線アクセスポイントを識別する識別情報、スイッチングハブを識別する識別情報、ルータを識別する識別情報の何れかを少なくとも参照して前記機器が前記通信網に接続した位置を特定する、
ことを特徴とする請求項１に記載の機器管理システム。
【請求項８】
１以上の機器から前記機器を識別する識別情報を含む設定情報取得要求を受信する通信部と、
１以上の前記機器が現在使用されている場所を示す１以上の使用場所情報ごとに、前記識別情報と、前記機器が本来設置される場所を示す設置場所情報と、前記機器の設定項目を含む設定情報とが対応付けられた情報を示す機器設定情報を保持する機器設定情報部と、
前記設定情報取得要求に含まれる前記識別情報を用いて、前記機器が前記通信網に接続した位置を特定して、前記識別情報で識別される前記機器が現在使用されている前記使用場所情報を取得する使用場所情報取得部と、
前記機器設定情報部が保持する前記機器設定情報の中から、受信した前記設定情報取得要求に含まれる前記識別情報と、取得した前記使用場所情報とを用いて、前記設定情報を選定する選定部と、
選定した前記設定情報を前記機器に送信する設定情報送信部と、を有する、
ことを特徴とする情報処理装置。
【請求項９】
前記通信部は、前記機器を識別する識別情報と、前記機器が本来設置される場所を示す設置場所情報とを含む設定情報取得要求を受信し、
前記選定部は、前記機器設定情報部が保持する前記機器設定情報の中から、受信した前記設定情報取得要求に含まれる前記識別情報及び前記設置場所情報と、取得した前記使用場所情報とを用いて、前記設定情報を選定する、
ことを特徴とする請求項８に記載の情報処理装置。
【請求項１０】
前記使用場所情報取得部は、受信した前記設定情報取得要求の識別情報に含まれるアドレス情報を用いて、前記機器が接続した予め保持する無線アクセスポイントを識別する識別情報、スイッチングハブを識別する識別情報、ルータを識別する識別情報の何れかを少なくとも参照して前記機器が前記通信網に接続した位置を特定する、
ことを特徴とする請求項８に記載の情報処理装置。
【請求項１１】
情報処理装置と、通信網を介して前記情報処理装置と接続される１以上の機器とを含む機器管理システムの機器管理方法であって、
前記機器を識別する識別情報を含む設定情報取得要求を前記情報処理装置に送信する設定情報要求ステップと、
１以上の前記機器が現在使用されている場所を示す１以上の使用場所情報ごとに、前記識別情報と、前記機器が本来設置される場所を示す設置場所情報と、前記機器の設定項目を含む設定情報とが対応付けられた情報を示す機器設定情報を保持する機器設定情報ステップと、
前記設定情報取得要求に含まれる前記識別情報を用いて、前記機器が前記通信網に接続した位置を特定して、前記識別情報で識別される前記機器が現在使用されている前記使用場所情報を取得する使用場所情報取得ステップと、
前記機器設定情報ステップが保持する前記機器設定情報の中から、受信した前記設定情報取得要求に含まれる前記識別情報と、取得した前記使用場所情報とを用いて、前記設定情報を選定する選定ステップと、
選定した前記設定情報を前記機器に送信する設定情報送信ステップと、
前記情報処理装置から、選定された前記設定情報を取得する設定情報取得ステップと、
取得した前記設定情報に基づいて、前記機器の設定を行う設定ステップと、を含む、
ことを特徴とする機器管理方法。
【請求項１２】
前記設定情報要求ステップは、前記機器を識別する識別情報と、前記機器が本来設置される場所を示す設置場所情報とを含む設定情報取得要求を前記情報処理装置に送信し、
前記選定ステップは、前記機器設定情報ステップが保持する前記機器設定情報の中から、受信した前記設定情報取得要求に含まれる前記識別情報及び前記設置場所情報と、取得した前記使用場所情報とを用いて、前記設定情報を選定する、
ことを特徴とする請求項１１に記載の機器管理方法。
【請求項１３】
コンピュータに、
通信網を介して接続される１以上の機器を識別する識別情報を含む設定情報取得要求を情報処理装置に送信する設定情報要求ステップと、
１以上の前記機器が現在使用されている場所を示す１以上の使用場所情報ごとに、前記識別情報と、前記機器が本来設置される場所を示す設置場所情報と、前記機器の設定項目を含む設定情報とが対応付けられた情報を示す機器設定情報を保持する機器設定情報ステップと、
前記設定情報取得要求に含まれる前記識別情報を用いて、前記機器が前記通信網に接続した位置を特定して、前記識別情報で識別される前記機器が現在使用されている前記使用場所情報を取得する使用場所情報取得ステップと、
前記機器設定情報ステップが保持する前記機器設定情報の中から、受信した前記設定情報取得要求に含まれる前記識別情報と、取得した前記使用場所情報とを用いて、前記設定情報を選定する選定ステップと、
選定した前記設定情報を前記機器に送信する設定情報送信ステップと、
前記情報処理装置から、選定された前記設定情報を取得する設定情報取得ステップと、
取得した前記設定情報に基づいて、前記機器の設定を行う設定ステップと、
を実行させるためのプログラム。
【請求項１４】
前記設定情報要求ステップは、前記機器を識別する識別情報と、前記機器が本来設置される場所を示す設置場所情報とを含む設定情報取得要求を前記情報処理装置に送信し、
前記選定ステップは、前記機器設定情報ステップが保持する前記機器設定情報の中から、受信した前記設定情報取得要求に含まれる前記識別情報及び前記設置場所情報と、取得した前記使用場所情報とを用いて、前記設定情報を選定する、
ことを特徴とする請求項１３に記載のプログラム。
【発明の詳細な説明】
【技術分野】
【０００１】
本発明は、機器管理システム、情報処理装置、機器管理方法およびプログラムに関する。
【背景技術】
【０００２】
従来、ネットワーク機器の各種設定を自動的に行う方法としては、予め機器管理サーバに設定情報と設置場所などの条件を組み合わせた設置情報を複数登録しておき、機器が何の条件を満たすかにより、適切な設定情報を判断して設定する技術が知られている。
【０００３】
特許文献１には、ネットワーク機器の設置場所が移動された場合でも、ネットワーク機器が移動された設置場所に従ったセキュリティルールを順守した構成となっているか容易に判断することができるネットワーク機器管理装置が開示されている。特許文献１に記載のネットワーク機器管理装置は、ネットワーク機器が移動された際に、ネットワーク機器の場所情報を用いて移動先のセキュリティルールに従っていなかった場合、ネットワーク機器管理装置がネットワーク機器の設定情報を変更するものである。
【発明の概要】
【発明が解決しようとする課題】
【０００４】
しかしながら、特許文献１に記載のネットワーク機器管理装置では、一時的な場所移動により最低限の設定情報を変更するものではなく、モバイル機器などが一時的にその場所で使用する場合には、その場所で固定して使用する機器と同様な設定しかできないという問題がある。
【０００５】
本発明は、上記に鑑みてなされたものであって、ネットワーク機器が一時的な場所移動により本来の設置場所以外で使用する場合に、最低限必要な設定情報を選定してネットワーク機器に最低限の設定情報を設定することができる機器管理システム、情報処理装置、機器管理方法およびプログラムを提供することを目的とする。
【課題を解決するための手段】
【０００６】
上述した課題を解決し、目的を達成するために、本発明に係る機器管理システムは、情報処理装置と、通信網を介して前記情報処理装置と接続される１以上の機器とを含む機器管理システムであって、１以上の前記機器の各々は、前記機器を識別する識別情報を含む設定情報取得要求を前記情報処理装置に送信する設定情報要求部を有し、前記情報処理装置は、１以上の前記機器が現在使用されている場所を示す１以上の使用場所情報ごとに、前記識別情報と、前記機器が本来設置される場所を示す設置場所情報と、前記機器の設定項目を含む設定情報とが対応付けられた情報を示す機器設定情報を保持する機器設定情報部と、前記設定情報取得要求に含まれる前記識別情報を用いて、前記機器が前記通信網に接続した位置を特定して、前記識別情報で識別される前記機器が現在使用されている前記使用場所情報を取得する使用場所情報取得部と、前記機器設定情報部が保持する前記機器設定情報の中から、受信した前記設定情報取得要求に含まれる前記識別情報と、取得した前記使用場所情報とを用いて、前記設定情報を選定する選定部と、を有する、ことを特徴とする。
【発明の効果】
【０００７】
本発明によれば、ネットワーク機器が一時的な場所移動により本来の設置場所以外で使用する場合に、最低限必要な設定情報を選定してネットワーク機器に最低限の設定情報を設定することができる、という有利な効果を奏する。
【図面の簡単な説明】
【０００８】
【図１】図１は、本実施形態に係る機器管理システムの全体システム構成の一例を示す図である。
【図２】図２は、本実施形態に係る機器管理装置のハードウェア構成の一例を示す模式図である。
【図３】図３は、本実施形態に係る機器管理装置及び機器の機能構成の一例を示すブロック図である。
【図４】図４は、機器設定情報の一例を示す図である。
【図５】図５は、機器設定情報の一例を示す図である。
【図６】図６は、機器を識別する識別情報を示す図である。
【図７】図７は、機器管理装置が機器の設定項目を含む設定情報を選定する処理動作の一例を示すシーケンス図である。
【図８】図８は、機器管理装置が機器の設定項目を含む設定情報を選定する他の処理動作の一例を示すシーケンス図である。
【発明を実施するための形態】
【０００９】
以下、添付図面を参照しながら、本発明に係る機器管理システム、情報処理装置、機器管理方法およびプログラムの一実施の形態を詳細に説明する。なお、以下の実施の形態により本発明が限定されるものではない。また、各実施の形態は、内容を矛盾させない範囲で、適宜組み合わせることができる。
【００１０】
本実施形態の情報処理装置は、機器から受信した設定情報取得要求に含まれる識別情報を用いて、機器の使用場所情報を取得する。そして、情報処理装置は、保持する設定情報の中から、受信した設定情報取得要求に含まれる識別情報と、取得した使用場所情報とを用いて、機器の設定項目を含む設定情報を選定する。機器は、機器を識別する識別情報を含む設定情報取得要求を情報処理装置に送信する。これにより、ネットワーク機器が一時的な場所移動により本来設置される場所以外で使用する場合に、最低限必要な設定情報を選定してネットワーク機器に最低限の設定情報を設定することができる。
【００１１】
以下では、本実施形態の情報処理装置を、機器と通信して遠隔管理する機器管理システムの一部の装置（機器管理装置）として実現する例を説明する。本実施形態の情報処理装置が適用可能なシステムは、このような機器管理システムに限られるものではない。また、以下では、本発明に係る機器を、モバイル機器に適用した場合を例に挙げて説明するが、これに限定されるものではない。
【００１２】
まず、図１を用いて、機器管理システム１の全体システム構成例について説明する。図１は、本実施形態の機器管理システムの全体システム構成の一例を示す図である。
【００１３】
図１に示すように、機器管理システム１は、複数の機器２０ａ〜２０ｃを遠隔管理する機器管理装置１０と、機器管理装置１０により管理される機器２０ａ、機器２０ｂ、機器２０ｃとを備える。以下、複数の機器２０ａ〜２０ｃを区別する必要がない場合は、機器２０と表記する。機器管理装置１０は、例えば、管理対象の機器２０に対して、機器２０の本来の設置場所情報と、現在の使用場所情報とに基づいて、適切な設定情報を選定して機器２０に各種設定を実施させる装置である。機器２０は、例えば、一時的に移動した使用場所から通信網３０に接続して機器管理装置１０との間でデータの送受信を行う。
【００１４】
通信網３０は、例えば、イントラネット、セキュリティが高い専用回線やＶＰＮ（Ｖｉｒｔｕａｌ  Ｐｒｉｖａｔｅ  Ｎｅｔｗｏｒｋ）、インターネット等のネットワークである。図１では、機器管理装置１０と接続される機器２０の台数が３台である場合を例示しているが、これに限らず、機器２０の台数は任意である。なお、図１の例では、機器２０は、直接に通信網３０に接続する構成であるが、これに限ることはなく、例えば、無線により各無線アクセスポイントに接続して通信網３０に接続する構成であってもよい。
【００１５】
次に、図２を用いて、機器管理装置１０のハードウェア構成について説明する。図２は、機器管理装置のハードウェア構成の一例を示す模式図である。
【００１６】
図２に示すように、機器管理装置１０は、システムバス１８に接続された、ＨＤＤ（Ｈａｒｄ  Ｄｉｓｋ  Ｄｒｉｖｅ）１２と、メモリ装置１３と、ＣＰＵ（Ｃｅｎｔｒａｌ  Ｐｒｏｃｅｓｓｉｎｇ  Ｕｎｉｔ）１４と、インタフェース装置１５と、表示装置１６と、入力装置１７とを備える。
【００１７】
ＨＤＤ１２は、機器管理装置１０で実行される各種のプログラムを格納する。また、ＨＤＤ１２は、機器管理装置１０の各種機能を実現するために必要なファイルやデータ等を格納する。
【００１８】
メモリ装置１３は、ＣＰＵ１４からプログラムの起動指示があった場合に、ＨＤＤ１２からプログラムを読み出して格納する。また、メモリ装置１３は、機器管理装置１０に対して着脱自在な構成とすることもできる。この場合、メモリ装置１３は、ＣＰＵ１４の制御の下でデータの読み出し又は書き込みを行う不揮発性メモリであれば、例えば、ＵＳＢメモリ、フラッシュメモリ、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等を用いてもよい。
【００１９】
ＣＰＵ１４は、機器管理装置１０の動作を統括的に制御する。ＣＰＵ１４は、メモリ装置１３に格納されたプログラムを実行することで、機器管理装置１０全体の動作を制御する。また、ＣＰＵ１４は、各種機能を実現する。
【００２０】
インタフェース装置１５は、外部装置（機器２０）と通信するためのインタフェースである。また、インタフェース装置１５は、通信網３０に接続するためのインタフェースである。
【００２１】
表示装置１６は、プログラムによるＧＵＩ（Ｇｒａｐｈｉｃａｌ  Ｕｓｅｒ  Ｉｎｔｅｒｆａｃｅ）等を表示する。表示装置１６は、例えば、画像などを表示するディスプレイである。ディスプレイは、例えば、液晶や有機ＥＬなどのＦＰＤ（Ｆｌａｔ  Ｐａｎｅｌ  Ｄｉｓｐｌａｙ）である。
【００２２】
入力装置１７は、キーボード及びマウス等で構成され、ユーザの様々な操作指示を受け付けるユーザインタフェースである。例えば、タッチパネルや音声入力装置を入力装置１７とすることもできる。
【００２３】
なお、上記の機器管理装置１０用プログラムは、インストール可能な形式又は実行可能な形式のファイルで、記録メディア等のコンピュータで読み取り可能な記録媒体に記録して流通させるようにしてもよい。
【００２４】
次に、図３を用いて、本実施形態の機器管理装置１０及び機器２０の機能について説明する。なお、機器２０のハードウェア構成は、上記の図２を用いて説明した機器管理装置１０のハードウェア構成と同様であるので詳細については省略する。
【００２５】
図３は、機器管理装置及び機器の機能構成の一例を示すブロック図である。まず、機器管理装置１０の機能構成について説明する。図３に示すように、機器管理装置１０は、通信部１０１と、機器設定情報部１０２と、使用場所情報取得部１０３と、機器管理部１０４と、選定部１０５と、設定情報送信部１０６と、制御部１０７とを有する。上記各部については、これらの一部又は全部がソフトウェア（プログラム）、ハードウェア回路であってもよい。また、上記各部のうちの一部が機器管理装置１０に搭載される形態であってもよい。
【００２６】
通信部１０１は、通信網３０を経由して機器２０と通信する。通信部１０１は、１以上の機器２０と通信網３０を介して各種データを送受する。具体的には、例えば、通信部１０１は、機器２０から機器２０を識別する識別情報を含む設定情報取得要求を受信する。また、通信部１０１は、例えば、機器２０から機器２０を識別する識別情報と、機器２０が本来設置される場所を示す設置場所情報とを含む設定情報取得要求を受信する。通信部１０１は、設定情報取得要求に含まれる識別情報、設置場所情報を使用場所情報取得部１０３、機器管理部１０４、選定部１０５、制御部１０７に受け渡す。
【００２７】
また、通信部１０１は、例えば、機器２０から機器２０の状態を示す状態情報を含む機器情報を受信する。通信部１０１は、機器情報を機器管理部１０４に受け渡す。なお、機器情報は、機器２０を識別する識別情報と機器２０の種類を示す機器種類を少なくとも含む情報である。
【００２８】
また、通信部１０１は、例えば、機器管理装置１０が選定した設定情報を機器２０に送信する。
【００２９】
機器設定情報部１０２は、１以上の機器２０が現在使用されている場所を示す１以上の使用場所情報ごとに、機器２０を識別する識別情報と、機器２０が本来設置される場所を示す設置場所情報と、機器２０の設定項目を含む設定情報とが対応付けられた情報を示す機器設定情報を保持する。ここで、機器設定情報について説明する。図４及び図５は、機器設定情報の一例を示す図である。機器設定情報は、機器２０が現在使用されている使用場所情報ごとに、機器２０を識別する識別情報と、機器２０が本来設置される設置場所情報と、機器２０の設定情報とが対応付けられた情報である。
【００３０】
まず、使用場所情報について説明する。図４及び図５に示すように、使用場所情報の一例としては、機器２０が現在使用されている場所である、例えば、Ａ事業所１Ｆ、Ａ事業所２Ｆ、Ａ事業所３Ｆなどの機器２０が実際に使用される使用場所を特定できる情報である。すなわち、モバイル機器などは簡単に持ち運びが可能であるため、例えば、Ａ事業所２ＦからＡ事業所１Ｆに一時的に移動してＡ事業所１Ｆで使用するなどの場合の一時的な使用場所を示す情報である。なお、使用場所情報は一時的な使用場所に限ることはなく、固定して使用する使用場所を示す情報であってもよい。なお、上記の使用場所情報は一例であり、使用場所情報は任意に設定できる。
【００３１】
次に、図６を用いて、使用場所情報に対応付けられた機器２０を識別する識別情報について説明する。図６は、機器を識別する識別情報を示す図である。図６に示すように、機器２０を識別する識別情報の一例として、例えば、アドレス情報（ＩＰアドレス情報、ＭＡＣアドレス情報など）、機器種類、機器ＩＤなどの機器２０を特定できる情報を含む。機器種類としては、例えば、ＰＣ（ｐｅｒｓｏｎａｌ  ｃｏｍｐｕｔｅｒ）、コピー機、プロジェクタなどのネットワーク機器の種類を特定できる情報を含む。図６の例では、機器２０の識別情報はＩＰアドレス情報、ＭＡＣアドレス情報、機器種類、機器ＩＤで示される。また、図６の例では、機器種類はＰＣ、コピー機、プロジェクタなどで示される。また、図６の例では、識別情報は、ＩＰアドレス情報又はＭＡＣアドレス情報と機器種類と機器ＩＤとが対応付いた情報である。なお、識別情報は、ＩＰアドレス情報と機器種類とが対応付いた情報でもよいし、ＭＡＣアドレス情報と機器種類とが対応付いた情報でもよいし、機器ＩＤと機器種類とが対応付いた情報でもよい。
【００３２】
例えば、ＩＰアドレスとＭＡＣアドレス情報と機器種類と機器ＩＤとが対応付いた識別情報として、図６の例では、例えば、ＩＰアドレス情報「１９２．１６８．０．１」とＭＡＣアドレス情報「１１：１１：１１：ＡＡ：ＡＡ：ＡＡ」と機器種類「ＰＣ１」と機器ＩＤ「ＡＢＣＤＥ１」とが対応付いている。また、例えば、ＩＰアドレス情報「１９２．１６８．０．２」とＭＡＣアドレス情報「１１：１１：１２：ＡＡ：ＡＡ：ＡＡ」と機器種類「ＰＣ２」と機器ＩＤ「ＡＢＣＤＥ２」とが対応付いている。また、例えば、ＩＰアドレス情報「１９２．１６８．０．３」とＭＡＣアドレス情報「１１：１１：１３：ＡＡ：ＡＡ：ＡＡ」と機器種類「ＰＣ３」と機器ＩＤ「ＡＢＣＤＥ３」とが対応付いている。また、例えば、ＩＰアドレス情報「１９２．１６８．０．４」とＭＡＣアドレス情報「１１：１１：１４：ＡＡ：ＡＡ：ＡＡ」と機器種類「コピー機１」と機器ＩＤ「ＡＢＣＤＥ４」とが対応付いている。また、例えば、ＩＰアドレス情報「１９２．１６８．０．５」とＭＡＣアドレス情報「１１：１１：１５：ＡＡ：ＡＡ：ＡＡ」と機器種類「プロジェクタ１」と機器ＩＤ「ＡＢＣＤＥ５」とが対応付いている。以下同様に図６の例では、識別情報としては、ＩＰアドレス情報とＭＡＣアドレス情報と機器種類と機器ＩＤとが対応付いている情報である。なお、上記で例示した識別情報は一例であり、機器２０が識別できる情報であればよく、識別情報は任意に設定できる。
【００３３】
図４及び図５に戻って説明を続ける。次に、使用場所情報に対応付けられた機器２０が本来設置される場所を示す設置場所情報について説明する。図４及び図５に示すように、設置場所情報の一例として、例えば、同じ敷地内にある建物の各フロアや異なる建物の各フロア、違う敷地内にある建物の各フロアなどの情報を含んでいる。つまり、会社組織を一例にすると、設置場所情報としては、同じ敷地内にあるＡ棟の１階、２階、３階、違う敷地内にあるＢ棟の１階、２階、３階、違う敷地内にあるＣ棟の１階、２階、３階などの情報である。図４及び図５の例では、設置場所情報はＡ事業所１Ｆ、Ａ事業所２Ｆ、Ａ事業所３Ｆ、Ｂ事業所１Ｆ、Ｃ事業所１Ｆ、登録なしで示される。なお、上記で例示した設置場所情報は一例であり、設置場所情報は任意に設定できる。
【００３４】
次に、使用場所情報ごとに対応付けられた機器２０の設定情報について説明する。設定情報としては、機器２０の設定項目を含む情報である。設定情報に含まれる設定項目に基づいて、機器２０の設定が実施される。図４に示すように、例えば、使用場所情報が「Ａ事業所１Ｆ」において、本来の設置場所情報が「Ａ事業所１Ｆ」に対応付いた識別情報の中で、例えば、識別情報「ＰＣ１〜３」の機器２０には、設定情報の設定項目として、例えば、無線ＬＡＮ暗号鍵、プロキシ設定、プリンタアドレス、セキュリティ設定、基本アプリセットの５つの設定情報が対応付けられている。なお、基本アプリセットとは、その使用場所において使用できる基本のアプリケーションのセットを示す。ここで、設定情報の無線ＬＡＮ暗号鍵は、例えば、各種サーバへのアクセス許可情報の一例である。アクセス許可情報として、例えば、暗号鍵、専用アプリケーションのダウンロード権限、インストール権限などを一例として挙げることができる。また、プロキシ設定は、例えば、通信設定情報の一例である。通信設定情報として、例えば、最初は機器２０に対して許可されている通信設定は、本実施形態の機器設定を行うための機器管理装置１０との通信だけである。従って、それ以外の通信を行うためには、機器管理装置１０からダウンロードしたプロキシ設定を行う必要がある。
【００３５】
また、使用場所情報が「Ａ事業所１Ｆ」において、設置場所情報が「Ａ事業所１Ｆ」に対応付いた識別情報の中で、例えば、識別情報「コピー機１」には、設定情報の設定項目として、例えば、無線ＬＡＮ暗号鍵の１つの設定情報が対応付けられている。また、使用場所情報が「Ａ事業所１Ｆ」において、設置場所情報が「Ａ事業所１Ｆ」に対応付いた識別情報の中で、例えば、識別情報「プロジェクタ１」には、設定情報の設定項目として、例えば、無線ＬＡＮ暗号鍵、ファイルサーバアドレスの２つの設定情報が対応付けられている。なお、上記の識別情報「ＰＣ１〜３」、「コピー機１」、「プロジェクタ１」に対応付けられた各設定項目は、「本来の設置場所で使用する機器用設定」であることを示している。よって、本来の設置場所で使用する機器２０には、アクセス許可情報、通信設定情報、印刷設定、セキュリティ設定、アプリケーション設定などの必要な全ての設定情報を設定する。
【００３６】
また、図４の例では、例えば、使用場所情報が「Ａ事業所１Ｆ」において、設置場所情報が「Ａ事業所２Ｆ、３Ｆ（例えば、Ａ事業所１Ｆ以外）」に対応付いた識別情報の中で、例えば、識別情報「ＰＣ４〜６」には、設定情報の設定項目として、例えば、プリンタアドレスの１つの設定情報が対応付けられている。また、同様に設置場所情報が「Ａ事業所２Ｆ、３Ｆ（例えば、Ａ事業所１Ｆ以外）」に対応付いた識別情報の中で、例えば、識別情報「コピー機２、３」には、設定情報の設定項目として、例えば、無線ＬＡＮ暗号鍵の１つの設定情報が対応付けられている。また、同様に設置場所情報が「Ａ事業所２Ｆ、３Ｆ（例えば、Ａ事業所１Ｆ以外）」に対応付いた識別情報の中で、例えば、識別情報「プロジェクタ２、３」には、設定情報の設定項目として、例えば、ファイルサーバアドレスの１つの設定情報が対応付けられている。なお、上記の識別情報「ＰＣ４〜６」、「コピー機２、３」、「プロジェクタ２、３」に対応付けられた各設定項目は、「本来の設置場所以外で使用する機器用設定」であることを示している。
【００３７】
本来の設置場所以外で使用する機器２０は、一時的に同じ事業所の他の設置場所から移動して持ち込まれたものであると判断できるため、基本的な設定は既に行われている。従って、最低限必要な設定項目を変更するだけで良いことになる。よって、上記の例えば、識別情報「ＰＣ４〜６」には、設定情報の設定項目として、例えば、近くの印刷装置から印刷するためのプリンタアドレスだけを設定情報として設定する。また、例えば識別情報「コピー機２、３」には、設定情報の設定項目として、例えば、無線ＬＡＮ暗号鍵だけを設定情報として設定する。また、例えば識別情報「プロジェクタ２、３」には、設定情報の設定項目として、例えば、ファイルサーバアドレスだけを設定情報として設定する。これにより、ネットワーク機器が一時的な場所移動により本来の設置場所以外で使用する場合に、最低限必要な設定情報を設定することが可能となる。
【００３８】
また、図４の例では、例えば、使用場所情報が「Ａ事業所１Ｆ」において、設置場所情報が「Ｂ事業所１Ｆ、Ｃ事業所１Ｆ（Ａ事業所以外）」に対応付いた識別情報の中で、例えば、識別情報「ＰＣ７、８」には、設定情報の設定項目として、例えば、無線ＬＡＮ暗号鍵、プリンタアドレスの２つの設定情報が対応付けられている。なお、上記の識別情報「ＰＣ７、８」に対応付けられた各設定項目は、「異なる事業所で使用する機器用設定」であることを示している。すなわち、他の事業所に所属する機器２０には、本実施形態の機器設定を行うための機器管理装置１０との通信を許可する暗号鍵、近くの印刷装置から印刷するためのプリンタアドレスを基本の最低限の設定情報として設定する。なお、同じ組織に所属する機器２０であるため、それ以外の設定情報は任意に設定することができる。
【００３９】
また、図４の例では、例えば、使用場所情報が「Ａ事業所１Ｆ」において、設置場所情報が「登録なし」に対応づいた識別情報の中で、例えば、識別情報「ＰＣ」には、設定情報の設定項目として、例えば、無線ＬＡＮ暗号鍵、プリンタアドレスの２つの設定情報が対応付けられている。なお、この識別情報「ＰＣ」に対応付けられた各設定項目は、「ゲスト機器用設定」であることを示している。なお、ゲスト機器用の設定情報は、機器管理装置１０が接続する通信網３０に接続するための暗号鍵、および通信網３０に接続された、例えば印刷装置を利用するための識別番号の少なくとも何れかである。すなわち、外部のゲスト用機器には、本実施形態の機器設定を行うための機器管理装置１０との通信だけを許可する暗号鍵、近くの印刷装置から印刷するためのプリンタアドレスだけを設定情報として設定する。つまり、ゲスト用機器に対しては、ネットワーク機器としては利用制限がなされるように設定される。
【００４０】
また、図５に示すように、例えば、使用場所情報が「Ａ事業所２Ｆ」において、本来の設置場所情報が「Ａ事業所２Ｆ」に対応づいた識別情報の中で、例えば、識別情報「ＰＣ４、５」の機器２０には、設定情報の設定項目として、例えば、無線ＬＡＮ暗号鍵、プロキシ設定、プリンタアドレス、セキュリティ設定、基本アプリセットの５つの設定情報が対応付けられている。
【００４１】
また、同様に設置場所情報が「Ａ事業所２Ｆ」に対応づいた識別情報の中で、例えば、識別情報「コピー機２」には、設定情報の設定項目として、例えば、無線ＬＡＮ暗号鍵の１つの設定情報が対応付けられている。また、同様に設置場所情報が「Ａ事業所２Ｆ」に対応づいた識別情報の中で、例えば、識別情報「プロジェクタ２」には、設定情報の設定項目として、例えば、無線ＬＡＮ暗号鍵、ファイルサーバアドレスの２つの設定情報が対応付けられている。なお、上記の識別情報「ＰＣ４、５」、「コピー機２」、「プロジェクタ２」に対応付けられた各設定項目は、「本来の設置場所で使用する機器用設定」であることを示している。よって、本来の設置場所で使用する機器２０には、アクセス許可情報、通信設定情報、印刷設定、セキュリティ設定、アプリケーション設定などの必要な全ての設定情報を設定する。
【００４２】
また、図５の例では、例えば、使用場所情報が「Ａ事業所２Ｆ」において、設置場所情報が「Ａ事業所１Ｆ、３Ｆ（例えば、Ａ事業所２Ｆ以外）」に対応付いた識別情報の中で、例えば、識別情報「ＰＣ１〜３、６」には、設定情報の設定項目として、例えば、プリンタアドレスの１つの設定情報が対応付けられている。また、同様に設置場所情報が「Ａ事業所１Ｆ、３Ｆ（例えば、Ａ事業所２Ｆ以外）」に対応付いた識別情報の中で、例えば、識別情報「コピー機１、３」には、設定情報の設定項目として、例えば、無線ＬＡＮ暗号鍵の１つの設定情報が対応付けられている。また、同様に設置場所情報が「Ａ事業所１Ｆ、３Ｆ（例えば、Ａ事業所２Ｆ以外）」に対応付いた識別情報の中で、例えば、識別情報「プロジェクタ１、３」には、設定情報の設定項目として、例えば、ファイルサーバアドレスの１つの設定情報が対応付けられている。なお、上記の識別情報「ＰＣ１〜３、６」、「コピー機１、３」、「プロジェクタ１、３」に対応付けられた各設定項目は、「本来の設置場所以外で使用する機器用設定」であることを示している。
【００４３】
また、図５の例では、例えば、使用場所情報が「Ａ事業所２Ｆ」において、設置場所情報が「Ｂ事業所１Ｆ、Ｃ事業所１Ｆ（Ａ事業所以外）」に対応付いた識別情報の中で、例えば、識別情報「ＰＣ７、８」には、設定情報の設定項目として、例えば、無線ＬＡＮ暗号鍵、プリンタアドレスの２つの設定情報が対応付けられている。なお、上記の識別情報「ＰＣ７、８」に対応付けられた各設定項目は、「異なる事業所で使用する機器用設定」であることを示している。なお、同じ組織に所属する機器２０であるため、それ以外の設定情報は任意に設定することができる。
【００４４】
また、図５の例では、例えば、使用場所情報が「Ａ事業所２Ｆ」において、設置場所情報が「登録なし」に対応付いた識別情報の中で、例えば、識別情報「ＰＣ」には、設定情報の設定項目として、例えば、無線ＬＡＮ暗号鍵、プリンタアドレスの２つの設定情報が対応付けられている。なお、この識別情報「ＰＣ」に対応付けられた各設定項目は、「ゲスト機器用設定」であることを示している。なお、外部のゲスト用機器には、本実施形態の機器設定を行うための機器管理装置１０との通信だけを許可する暗号鍵、近くの印刷装置から印刷するためのプリンタアドレスだけを設定情報として設定する。つまり、ゲスト用機器に対しては、ネットワーク機器としては利用制限がなされるように設定される。
【００４５】
なお、図４及び図５の例では、使用場所情報として、Ａ事業所１Ｆ、Ａ事業所２Ｆを一例として示したが、Ａ事業所３Ｆについても同様の設定情報を保持している。
【００４６】
このように、機器設定情報部１０２は、１以上の機器２０が現在使用されている場所を示す１以上の使用場所情報ごとに、機器２０を識別する識別情報と、機器２０が本来設置される場所を示す設置場所情報と、機器２０の設定項目を含む設定情報とが対応付けられた情報を示す機器設定情報を保持する。
【００４７】
なお、図４及び図５に示した、機器設定情報は一例であり、使用場所情報、設置場所情報、識別情報、設定情報（設定項目）は、任意に設定することができる。また、図４及び図５に示した機器設定情報の識別情報は、説明が容易なように図６で示した識別情報の中の機器種類を一例としたが、これに限ることはなく、識別情報としては、図６を用いて説明したものと同様である。
【００４８】
図３に戻って説明を続ける。使用場所情報取得部１０３は、機器２０から受信した設定情報取得要求に含まれる識別情報を用いて、機器２０が通信網３０に接続した位置を特定して、識別情報で識別される機器２０が現在使用されている使用場所情報を取得する。機器２０を識別する識別情報は、図６を用いて説明したように、例えば、ＩＰアドレス情報、ＭＡＣアドレス情報、機器ＩＤ、機器種類などの機器２０を特定できる情報である。使用場所情報取得部１０３は、例えば、識別情報に含まれる各種アドレス情報から機器２０がどこの場所から通信網３０に接続したかを特定して使用場所情報を取得する。例えば、機器２０から受信した設定情報取得要求のデータの例えば、ヘッダー情報などから、通信網３０に接続した位置を特定して使用場所情報を取得する。
【００４９】
また、使用場所情報取得部１０３は、受信した設定情報取得要求の識別情報に含まれるアドレス情報を用いて、機器２０が接続した予め保持する無線アクセスポイントを識別する識別情報、スイッチングハブを識別する識別情報、ルータを識別する識別情報の何れかを少なくとも参照して機器２０が通信網３０に接続した位置を特定する。
【００５０】
図６の例では、例えば、「ＰＣ１」から受信した設定情報取得要求の識別情報に含まれるアドレス情報、例えば、「ＩＰアドレス情報やＭＡＣアドレス情報」に基づいて、ＰＣ１が通信網３０に接続した位置を特定して使用場所情報を取得することができる。なお、アドレス情報としては、例えば、ＩＰアドレス、ＭＡＣアドレス、サブネット・マスク、デフォルト・ゲートウエイ、ＤＮＳサーバといったアドレス情報である。
【００５１】
本実施形態においては、機器２０は直接に通信網３０に接続しているので、例えば、接続したスイッチングハブから機器２０が接続されているポートの情報を基にして機器２０の位置を特定して使用場所情報を取得することができる。具体的には、機器２０のＩＰアドレスがわかっているので、スイッチングハブのＭＡＣアドレステーブルを見て、そのＭＡＣアドレスがどのポートに割り当てられているかを特定し（カスケードされているなら、そのスイッチングハブに繋がるポートが特定できる）、次に、そのスイッチングハブでＭＡＣアドレステーブルを参照することを繰り返すことで、機器２０が接続した使用場所情報を特定することができる。
【００５２】
また、例えば、ルータのＩＰアドレス、ＤＮＳ（Ｄｏｍａｉｎ  Ｎａｍｅ  Ｓｙｓｔｅｍ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ポートおよびＭＡＣアドレスの情報に基づいて、機器２０が通信網３０に接続した位置を特定して使用場所情報を取得することができる。
【００５３】
また、機器２０が例えば、無線ＬＡＮで通信網３０に接続する場合には、接続した無線アクセスポイントのアドレス情報から機器２０の位置を特定して使用場所情報を取得することができる。
【００５４】
なお、例えば、スイッチングハブ、ルータ、無線アクセスポイントなどの各ネットワーク機器の各種アドレス情報に対応付いた位置情報は、予め登録して保持している。図４の例を参照すれば、例えば、各ネットワーク機器の例えば、アドレス情報（ＩＰアドレス情報やＭＡＣアドレス情報）に対応付いた、例えば「Ａ事業所１Ｆ」などの位置情報を予め保持している。
【００５５】
また、使用場所情報取得部１０３は、識別情報に基づいて、例えば、ＳＮＭＰを用いて、機器２０に固有のＯＩＤ（Ｏｂｊｅｃｔ  ＩＤｅｎｔｉｆｉｅｒ）の情報の中から機器２０が通信網３０に接続した位置を特定して使用場所情報を取得することができる。ＯＩＤの情報としては、システムの情報、インタフェースの情報、アドレス変換情報、ＩＰ（Ｉｎｔｅｒｎｅｔ  Ｐｒｏｔｏｃｏｌ  ａｄｄｒｅｓｓ）に関する情報、ＩＣＭＰ（Ｉｎｔｅｒｎｅｔ  Ｃｏｎｔｒｏｌ  Ｍｅｓｓａｇｅ  Ｐｒｏｔｏｃｏｌ）に関する情報、ＴＣＰ（Ｔｒａｎｓｍｉｓｓｉｏｎ  Ｃｏｎｔｒｏｌ  Ｐｒｏｔｏｃｏｌ）コネクションに関する情報、ＵＤＰ（Ｕｓｅｒ  Ｄａｔａｇｒａｍ  Ｐｒｏｔｏｃｏｌ）コネクションに関する情報、ＥＧＰ（Ｅｘｔｅｒｉｏｒ  Ｇａｔｅｗａｙ  Ｐｒｏｔｏｃｏｌ）に関する情報、変換タイプを定義するグループ（ｔｒａｎｓｍｉｓｓｉｏｎ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）自身に関する情報などを含む。
【００５６】
なお、これに限らず、例えば、機器２０が通信網３０に接続した位置情報が特定できる情報を、設定情報取得要求に含まれる識別情報に含むことによって、その位置情報が特定できる情報に基づいて、機器２０の位置を特定して使用場所情報を取得することができる。なお、機器２０が通信網３０に接続した位置情報が特定できる情報、使用場所情報を取得する方法は、任意である。
【００５７】
図３に戻って説明を続ける。機器管理部１０４は、管理対象の機器２０から各種の情報を取得して、取得した情報を管理する。各種の情報としては、例えば、機器２０の識別情報である、例えば、ＩＰアドレス情報、ＭＡＣアドレス情報、機器ＩＤ、機器種類、登録年月日などの情報を一例として挙げることができる。ここで、機器２０の各種の情報を取得する方法の一例としては、ＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて、各機器２０のＭＩＢ（Ｍａｎａｇｅｍｅｎｔ  Ｉｎｆｏｒｍａｔｉｏｎ  Ｂａｓｅ：管理情報領域）と呼ばれるデータ保存領域のＯＩＤ（Ｏｂｊｅｃｔ  ＩＤｅｎｔｉｆｉｅｒ）を参照して機器２０の各種の情報を取得することができる。
【００５８】
機器管理部１０４は、管理対象の機器２０に対して、機器２０の本来設置される設置場所情報と、現在使用されている使用場所情報とに基づいて、適切な設定情報を選定して機器２０に設定を実施させるように管理する。また、機器管理部１０４は、１以上の機器２０ごとに、識別情報を保持する。なお、識別情報は、図６を用いて説明したものと同様である。
【００５９】
また、機器管理部１０４は、機器２０の状態を示す状態情報を含む機器情報を取得して管理する。具体的には、機器管理部１０４は、機器２０から通信網３０を経由して送信される機器２０の状態を示す状態情報を含む機器情報を通信部１０１を介して受け付けることで、機器２０の状態を示す状態情報を含む機器情報を取得する。そして、機器管理部１０４は、使用場所情報取得部１０３が取得した機器２０の使用場所情報と、取得した機器情報とを対応付けて保持して管理する。
【００６０】
機器２０の状態を示す状態情報を含む機器情報とは、機器情報の一例として、例えば、機器２０がコピー機（ＭＦＰ：ＭｕｌｔｉＦｕｎｃｔｉｏｎ  Ｐｒｉｎｔｅｒ／Ｐｒｏｄｕｃｔ／Ｐｅｒｉｐｈｅｒａｌ）である場合、機種や機番などの個体情報、ソーターやフィニッシャーなどのオプション装着情報、トータルコピー数やモノクロコピー数及びカラーコピー数などの各種カウンタ情報、故障回数や修理部位及び回数などの機器状態情報（履歴情報）、機器２０設置時などに設定するサービスマン（ＳＰ）設定やユーザが任意に設定するユーザ設定などの機器設定情報等を含んでいる。機器２０の状態を示す状態情報としては、例えば、カウンタ情報、機器状態情報、機器設定情報などを含んでいる。なお、上記の機器２０の状態を示す状態情報を含む機器情報は一例であり、機器情報は、任意に設定することができる。
【００６１】
選定部１０５は、機器設定情報部１０２が保持する機器設定情報の中から、受信した設定情報取得要求に含まれる識別情報と、取得した使用場所情報とを用いて、設定情報を選定する。
【００６２】
また、選定部１０５は、受信した設定情報取得要求に識別情報及び設置場所情報が含まれていた場合、機器設定情報部１０２が保持する機器設定情報の中から、受信した設定情報取得要求に含まれる識別情報及び設置場所情報と、取得した使用場所情報とを用いて、設定情報を選定する。
【００６３】
また、選定部１０５は、受信した設定情報取得要求に含まれる識別情報と一致する識別情報に対応付けられた設置場所情報がない場合、ゲスト機器用の設定情報を選定する。
【００６４】
選定部１０５は、選定した機器２０の設定項目を含む設定情報を設定情報送信部１０６に対して受け渡す。
【００６５】
ここで、図４〜図６を参照して、選定部１０５が機器２０の設定項目を含む設定情報を選定する方法について説明する。まず、機器設定情報部１０２が保持する設定情報は、上記の図４及び図５を用いて説明したものである。
【００６６】
図６の例において、受信した設定情報取得要求に含まれる識別情報が、例えば、ＩＰアドレス情報「１９２．１６８．０．１」、ＭＡＣアドレス情報「１１：１１：１１：ＡＡ：ＡＡ：ＡＡ」、機器種類「ＰＣ１」、機器ＩＤ「ＡＢＣＤＥ１」の何れか１つ又は全てであると仮定する。また、使用場所情報取得部１０３で取得した使用場所情報が「Ａ事業所１Ｆ」であると仮定する。図４の例において、機器設定情報の選定条件として、例えば、使用場所情報、識別情報の２つが設定されていると仮定する。なお、選定条件はこれに限らず任意に設定できる。上記の仮定において、図４の例では、使用場所情報「Ａ事業所１Ｆ」、識別情報「ＰＣ１」は設置場所情報「Ａ事業所１Ｆ」と特定できるため、設定情報の設定項目は、無線ＬＡＮ暗号鍵、プロキシ設定、プリンタアドレス、セキュリティ設定、基本アプリセットの５つの設定情報である。よって、選定部１０５は、機器２０の設定項目を含む設定情報として、「本来の設置場所で使用する機器用設定」を選定する。
【００６７】
また、図６の例において、受信した設定情報取得要求に含まれる識別情報が、例えば、ＩＰアドレス情報「１９２．１６８．０．４」、ＭＡＣアドレス情報「１１：１１：１４：ＡＡ：ＡＡ：ＡＡ」、機器種類「コピー機１」、機器ＩＤ「ＡＢＣＤＥ４」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「コピー機１」は設置場所情報「Ａ事業所１Ｆ」と特定できるため、設定情報の設定項目は、無線ＬＡＮ暗号鍵の１つの設定情報である。よって、選定部１０５は、機器２０の設定項目を含む設定情報として、「本来の設置場所で使用する機器用設定」を選定する。
【００６８】
また、図６の例において、受信した設定情報取得要求に含まれる識別情報が、例えば、ＩＰアドレス情報「１９２．１６８．０．５」、ＭＡＣアドレス情報「１１：１１：１５：ＡＡ：ＡＡ：ＡＡ」、機器種類「プロジェクタ１」、機器ＩＤ「ＡＢＣＤＥ５」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「プロジェクタ１」は設置場所情報「Ａ事業所１Ｆ」と特定できるため、設定情報の設定項目は、無線ＬＡＮ暗号鍵、ファイルサーバアドレスの２つの設定情報である。よって、選定部１０５は、機器２０の設定項目を含む設定情報として、「本来の設置場所で使用する機器用設定」を選定する。
【００６９】
次に、図６の例において、受信した設定情報取得要求に含まれる識別情報が、例えば、ＩＰアドレス情報「１９２．１６８．０．６」、ＭＡＣアドレス情報「１１：１１：１６：ＡＡ：ＡＡ：ＡＡ」、識別情報「ＰＣ４」、機器ＩＤ「ＡＢＣＤＥ６」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「ＰＣ４」は設置場所情報「Ａ事業所２Ｆ」と特定できるため、設定情報の設定項目は、プリンタアドレスの１つの設定情報である。よって、選定部１０５は、機器２０の設定項目を含む設定情報として、「本来の設置場所以外で使用する機器用設定」を選定する。
【００７０】
また、図６の例において、受信した設定情報取得要求に含まれる識別情報が、例えば、ＩＰアドレス情報「１９２．１６８．０．８」、ＭＡＣアドレス情報「１１：１１：１８：ＡＡ：ＡＡ：ＡＡ」、機器種類「コピー機２」、機器ＩＤ「ＡＢＣＤＥ８」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「コピー機２」は設置場所情報「Ａ事業所２Ｆ」と特定できるため、設定情報の設定項目は、無線ＬＡＮ暗号鍵の１つの設定情報である。よって、選定部１０５は、機器２０の設定項目を含む設定情報として、「本来の設置場所以外で使用する機器用設定」を選定する。
【００７１】
また、図６の例において、受信した設定情報取得要求に含まれる識別情報が、例えば、ＩＰアドレス情報「１９２．１６８．０．９」、ＭＡＣアドレス情報「１１：１１：１９：ＡＡ：ＡＡ：ＡＡ」、機器種類「プロジェクタ２」、機器ＩＤ「ＡＢＣＤＥ９」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「プロジェクタ２」は設置場所情報「Ａ事業所２Ｆ」と特定できるため、設定情報の設定項目は、ファイルサーバアドレスの１つの設定情報である。よって、選定部１０５は、機器２０の設定項目を含む設定情報として、「本来の設置場所以外で使用する機器用設定」を選定する。
【００７２】
次に、図６の例において、受信した設定情報取得要求に含まれる識別情報が、例えば、ＩＰアドレス情報「１９２．１６８．０．１０」、ＭＡＣアドレス情報「１１：１１：２０：ＡＡ：ＡＡ：ＡＡ」、機器種類「ＰＣ６」、機器ＩＤ「ＡＢＣＤＥ１０」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「ＰＣ６」は設置場所情報「Ａ事業所３Ｆ」と特定できるため、設定情報の設定項目は、プリンタアドレスの１つの設定情報である。よって、選定部１０５は、機器２０の設定項目を含む設定情報として、「本来の設置場所以外で使用する機器用設定」を選定する。
【００７３】
また、図６の例において、受信した設定情報取得要求に含まれる識別情報が、例えば、ＩＰアドレス情報「１９２．１６８．０．１１」、ＭＡＣアドレス情報「１１：１１：２１：ＡＡ：ＡＡ：ＡＡ」、機器種類「コピー機３」、機器ＩＤ「ＡＢＣＤＥ１１」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「コピー機３」は設置場所情報「Ａ事業所３Ｆ」と特定できるため、設定情報の設定項目は、無線ＬＡＮ暗号鍵の１つの設定情報である。よって、選定部１０５は、機器２０の設定項目を含む設定情報として、「本来の設置場所以外で使用する機器用設定」を選定する。
【００７４】
また、図６の例において、受信した設定情報取得要求に含まれる識別情報が、例えば、ＩＰアドレス情報「１９２．１６８．０．１２」、ＭＡＣアドレス情報「１１：１１：２２：ＡＡ：ＡＡ：ＡＡ」、機器種類「プロジェクタ３」、機器ＩＤ「ＡＢＣＤＥ１２」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「プロジェクタ３」は設置場所情報「Ａ事業所３Ｆ」と特定できるため、設定情報の設定項目は、ファイルサーバアドレスの１つの設定情報である。よって、選定部１０５は、機器２０の設定項目を含む設定情報として、「本来の設置場所以外で使用する機器用設定」を選定する。
【００７５】
次に、図４の例において、受信した設定情報取得要求に含まれる識別情報が、例えば、ＩＰアドレス情報「１９２．１６８．０．１３」、ＭＡＣアドレス情報「１１：１１：２３：ＡＡ：ＡＡ：ＡＡ」、機器種類「ＰＣ７」、機器ＩＤ「ＡＢＣＤＥ１３」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「ＰＣ７」は設置場所情報「Ｂ事業所１Ｆ」と特定できるため、設定情報の設定項目は、無線ＬＡＮ暗号鍵、プリンタアドレスの２つの設定情報である。よって、選定部１０５は、機器２０の設定項目を含む設定情報として、「異なる事業所で使用する機器用設定」を選定する。
【００７６】
また、図６の例において、受信した設定情報取得要求に含まれる識別情報が、例えば、ＩＰアドレス情報「１９２．１６８．０．１４」、ＭＡＣアドレス情報「１１：１１：２４：ＡＡ：ＡＡ：ＡＡ」、機器種類「ＰＣ８」、機器ＩＤ「ＡＢＣＤＥ１４」の何れか１つ又は全てであると仮定する。また、使用場所情報取得部１０３で取得した使用場所情報が「Ａ事業所１Ｆ」であると仮定する。図４の例において、使用場所情報「Ａ事業所１Ｆ」、識別情報「ＰＣ８」は設置場所情報「Ｃ事業所１Ｆ」と特定できるため、設定情報の設定項目は、無線ＬＡＮ暗号鍵、プリンタアドレスの２つの設定情報である。よって、選定部１０５は、機器２０の設定項目を含む設定情報として、「異なる事業所で使用する機器用設定」を選定する。
【００７７】
次に、図６の例において、受信した設定情報取得要求に含まれる識別情報が、例えば、ＩＰアドレス情報「１９２．１６８．０．１５」、ＭＡＣアドレス情報「１１：１１：２５：ＡＡ：ＡＡ：ＡＡ」であると仮定する。また、使用場所情報取得部１０３で取得した使用場所情報が「Ａ事業所１Ｆ」であると仮定する。図４の例において、使用場所情報「Ａ事業所１Ｆ」、識別情報が例えば「ＰＣ」は設置場所情報「登録なし」と特定できるため、設定情報の設定項目は、無線ＬＡＮ暗号鍵、プリンタアドレスの２つの設定情報である。よって、選定部１０５は、機器２０の設定項目を含む設定情報として、「ゲスト機器用設定」を選定する。
【００７８】
同様に、図６の例において、受信した設定情報取得要求に含まれる識別情報が、例えば、ＩＰアドレス情報「１９２．１６８．０．１６」、ＭＡＣアドレス情報「１１：１１：２６：ＡＡ：ＡＡ：ＡＡ」であると仮定する。また、使用場所情報取得部１０３で取得した使用場所情報が「Ａ事業所１Ｆ」であると仮定する。図４の例において、使用場所情報「Ａ事業所１Ｆ」、識別情報が例えば「ＰＣ」は設置場所情報「登録なし」と特定できるため、設定情報の設定項目は、無線ＬＡＮ暗号鍵、プリンタアドレスの２つの設定情報である。よって、選定部１０５は、機器２０の設定項目を含む設定情報として、「ゲスト機器用設定」を選定する。
【００７９】
なお、図５の例において、使用場所情報「Ａ事業所２Ｆ」の場合についても、上述したと同様にして、選定部１０５は機器２０の設定項目を含む設定情報を選定する。また、使用場所情報「Ａ事業所３Ｆ」の場合についても同様である。
【００８０】
次に、機器２０から受信した設定情報取得要求に識別情報と設置場所情報とを含む場合、選定部１０５が、機器２０の設定項目を含む設定情報を選定する方法について説明する。
【００８１】
図６の例において、受信した設定情報取得要求に含まれる識別情報が、例えば、ＩＰアドレス情報「１９２．１６８．０．１」、ＭＡＣアドレス情報「１１：１１：１１：ＡＡ：ＡＡ：ＡＡ」、機器種類「ＰＣ１」、機器ＩＤ「ＡＢＣＤＥ１」の何れか１つ又は全てであり、設置場所情報が、例えば、「Ａ事業所１Ｆ」であると仮定する。また、使用場所情報取得部１０３で取得した使用場所情報が「Ａ事業所１Ｆ」であると仮定する。図４の例において、機器設定情報の選定条件として、例えば、使用場所情報、設置場所情報、識別情報の３つが設定されていると仮定する。なお、選定条件はこれに限らず任意に設定できる。上記の仮定において、図４の例では、使用場所情報「Ａ事業所１Ｆ」、設置場所情報「Ａ事業所１Ｆ」、識別情報「ＰＣ１」に対応付いた設定情報の選定項目は、無線ＬＡＮ暗号鍵、プロキシ設定、プリンタアドレス、セキュリティ設定、基本アプリセットの５つの設定情報である。よって、選定部１０５は、機器２０の設定項目を含む設定情報として、「本来の設置場所で使用する機器用設定」を選定する。
【００８２】
また、図６の例において、受信した設定情報取得要求に含まれる識別情報が、例えば、ＩＰアドレス情報「１９２．１６８．０．４」、ＭＡＣアドレス情報「１１：１１：１４：ＡＡ：ＡＡ：ＡＡ」、機器種類「コピー機１」、機器ＩＤ「ＡＢＣＤＥ４」の何れか１つ又は全てであり、設置場所情報が、例えば、「Ａ事業所１Ｆ」であると仮定する。また、使用場所情報取得部１０３で取得した使用場所情報が「Ａ事業所１Ｆ」であると仮定する。図４の例において、使用場所情報「Ａ事業所１Ｆ」、設置場所情報「Ａ事業所１Ｆ」、識別情報「コピー機１」に対応付いた設定情報の選定項目は、無線ＬＡＮ暗号鍵の１つの設定情報である。よって、選定部１０５は、機器２０の設定項目を含む設定情報として、「本来の設置場所で使用する機器用設定」を選定する。
【００８３】
また、図６の例において、受信した設定情報取得要求に含まれる識別情報が、例えば、ＩＰアドレス情報「１９２．１６８．０．５」、ＭＡＣアドレス情報「１１：１１：１５：ＡＡ：ＡＡ：ＡＡ」、機器種類「プロジェクタ１」、機器ＩＤ「ＡＢＣＤＥ５」の何れか１つ又は全てであり、設置場所情報が、例えば、「Ａ事業所１Ｆ」であると仮定する。また、使用場所情報取得部１０３で取得した使用場所情報が「Ａ事業所１Ｆ」であると仮定する。図４の例において、使用場所情報「Ａ事業所１Ｆ」、設置場所情報「Ａ事業所１Ｆ」、識別情報「プロジェクタ１」に対応付いた設定情報の選定項目は、無線ＬＡＮ暗号鍵、ファイルサーバアドレスの２つの設定情報である。よって、選定部１０５は、機器２０の設定項目を含む設定情報として、「本来の設置場所で使用する機器用設定」を選定する。
【００８４】
次に、図６の例において、受信した設定情報取得要求に含まれる識別情報が、例えば、ＩＰアドレス情報「１９２．１６８．０．１５」、ＭＡＣアドレス情報「１１：１１：２５：ＡＡ：ＡＡ：ＡＡ」であり、設置場所情報が、例えば、「登録なし」であると仮定する。また、使用場所情報取得部１０３で取得した使用場所情報が「Ａ事業所１Ｆ」であると仮定する。図４の例において、使用場所情報「Ａ事業所１Ｆ」、設置場所情報「登録なし」、識別情報が例えば「ＰＣ」に対応付いた設定情報の選定項目は、無線ＬＡＮ暗号鍵、プリンタアドレスの２つの設定情報である。よって、選定部１０５は、機器２０の設定項目を含む設定情報として、「ゲスト機器用設定」を選定する。
【００８５】
以下、設置場所情報「Ａ事業所２Ｆ」、「Ａ事業所３Ｆ」についても同様にして機器２０の設定項目を含む設定情報を選定する。
【００８６】
図３に戻って説明を続ける。設定情報送信部１０６は、選定部１０５で選定した設定情報を受け付ける。そして、設定情報送信部１０６は、選定部１０５で選定した設定情報を通信部１０１を介して機器２０に送信する。
【００８７】
制御部１０７は、機器管理装置１０全体の動作を制御する。また、制御部１０７は、上述した各機能部の各種処理を制御する。制御部１０７は、例えば、マイクロプロセッサなどから構成されるＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを含んで構成される。制御部１０７が有する機能は、制御部１０７のＣＰＵがＲＯＭ等に格納された所定の制御プログラムを実行することにより実現される。なお、これに限らず、これらの機能の少なくとも一部を個別の回路（ハードウェア）で実現することもできる。
【００８８】
次に、機器２０の機能構成について説明する。図３に示すように、機器２０は、通信部２０１と、設定情報要求部２０２と、設定情報取得部２０３と、設定部２０４と、機器情報管理部２０５と、制御部２０６とを有する。上記各部については、これらの一部又は全部がソフトウェア（プログラム）、ハードウェア回路であってもよい。また、上記各部のうちの一部が機器２０に搭載される形態であってもよい。
【００８９】
通信部２０１は、通信網３０を経由して機器管理装置１０と通信する。通信部２０１は、機器管理装置１０と通信網３０を介して各種データを送受する。具体的には、例えば、通信部２０１は、機器管理装置１０に対して、機器２０を識別する識別情報を含む設定情報取得要求を送信する。
【００９０】
また、通信部２０１は、例えば、機器管理装置１０に対して、機器２０を識別する識別情報と、機器２０が本来設置される場所を示す設置場所情報とを含む設定情報取得要求を送信する。
【００９１】
また、通信部２０１は、例えば、機器管理装置１０に対して、機器２０の状態を示す状態情報を含む機器情報を送信する。また、通信部２０１は、例えば、機器管理装置１０から選定した設定情報を受信する。通信部２０１は、受信した設定情報を設定部２０４、機器情報管理部２０５に受け渡す。
【００９２】
設定情報要求部２０２は、機器２０を識別する識別情報を含む設定情報取得要求を通信部２０１を介して機器管理装置１０に送信する。具体的には、図６を用いて説明した、例えば、機器２０を識別する識別情報である、ＩＰアドレス情報、ＭＡＣアドレス情報、機器種類、機器ＩＤの何れか１つ又は全てを含む識別情報を含んだ設定情報取得要求を通信部２０１を介して機器管理装置１０に送信する。
【００９３】
また、設定情報要求部２０２は、機器２０を識別する識別情報と、機器２０が本来設置される場所を示す設置場所情報とを含む設定情報取得要求を通信部２０１を介して機器管理装置１０に送信する。
【００９４】
設定情報取得部２０３は、機器管理装置１０が選定した機器２０の設定項目を含む設定情報を通信部２０１を介して受け付けることで設定情報を取得する。設定情報取得部２０３は、取得した設定情報を設定部２０４、機器情報管理部２０５に受け渡す。
【００９５】
設定部２０４は、設定情報取得部２０３で取得した機器２０の設定項目を含む設定情報に基づいて、機器２０の設定を行う。具体的には、例えば、機器２０がＰＣであり、機器管理装置１０から取得した設定情報に含まれる設定項目が、例えば、無線ＬＡＮ暗号鍵、プロキシ設定、プリンタアドレス、セキュリティ設定、基本アプリセットの５つの設定情報である場合、これらの５つの設定項目に基づいて機器２０の設定、又は必要な設定項目だけを更新する処理を行う。また、例えば、機器２０がコピー機であり、機器管理装置１０から取得した設定情報に含まれる設定項目が、例えば、無線ＬＡＮ暗号鍵の１つの設定情報である場合、これらの１つの設定項目に基づいて機器２０の設定、又は必要な設定項目だけを更新する処理を行う。また、例えば、機器２０がプロジェクタであり、機器管理装置１０から取得した設定情報に含まれる設定項目が、例えば、無線ＬＡＮ暗号鍵、ファイルサーバアドレスの２つの設定情報である場合、これらの２つの設定項目に基づいて機器２０の設定、又は必要な設定項目だけを更新する処理を行う。
【００９６】
機器情報管理部２０５は、機器２０を管理するために必要な各種の情報を取得して管理する。機器情報管理部２０５は、具体的には、例えば、機器２０に固有のＯＩＤ（Ｏｂｊｅｃｔ  ＩＤｅｎｔｉｆｉｅｒ）の情報を管理する。ＯＩＤの情報とは、システムの情報、インタフェースの情報、アドレス変換情報、ＩＰに関する情報、ＩＣＭＰに関する情報、ＴＣＰコネクションに関する情報、ＵＤＰコネクションに関する情報、ＥＧＰに関する情報、変換タイプを定義するグループ（ｔｒａｎｓｍｉｓｓｉｏｎ）、ＳＮＭＰ自身に関する情報などが挙げられる。
【００９７】
また、各種の情報の一例として、機器２０の識別情報、機種、機番、機器ＩＤ、機器種類、ＩＰアドレス、ＭＡＣアドレス、設置場所、設置年月日、使用期間など機器２０に関係する情報を取得して管理する。
【００９８】
機器情報管理部２０５は、機器２０が本来設置される場所を示す設置場所情報を取得するには、例えば、制御部２０６の制御の下、図示しない表示部に機器２０の設置場所情報を登録するためのＵＩ（ｕｓｅｒ  ｉｎｔｅｒｆａｃｅ）表示をし、入力された設置場所を登録して保持する。
【００９９】
また、機器情報管理部２０５は、例えば、機器２０の状態情報を含む機器情報を保持して管理する。また、機器情報管理部２０５は、例えば、少なくとも機器２０を識別する識別情報に対応付いた機器２０の種類を示す機器種類を保持して管理する。また、機器情報管理部２０５は、機器２０の設定項目を含む設定情報を保持して管理する。なお、機器情報管理部２０５が管理する各種の情報は任意に設定できる。
【０１００】
制御部２０６は、機器２０全体の動作を制御する。また、制御部２０６は、上述した各機能部の各種処理を制御する。制御部２０６は、例えば、マイクロプロセッサなどから構成されるＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを含んで構成される。制御部２０６が有する機能は、制御部２０６のＣＰＵがＲＯＭ等に格納された所定の制御プログラムを実行することにより実現される。なお、これに限らず、これらの機能の少なくとも一部を個別の回路（ハードウェア）で実現することもできる。
【０１０１】
次に、図７を参照しながら、機器管理装置１０が機器２０の設定項目を含む設定情報を選定する処理動作の一例を説明する。図７は、機器管理装置が機器の設定項目を含む設定情報を選定する処理動作の一例を示すシーケンス図である。
【０１０２】
まず、機器管理装置１０の制御部１０７は、図示しない表示部に機器２０の設置場所情報を登録するためのＵＩ（ｕｓｅｒ  ｉｎｔｅｒｆａｃｅ）表示をする。機器管理装置１０は、図４及び図５に示したように、機器２０が使用される１以上の使用場所情報ごとに、機器２０を識別する識別情報と、機器２０が本来設置される場所を示す設置場所情報と、機器２０の設定項目を含む設定情報とを対応付けた情報を示す機器設定情報を登録して保持する（ステップＳ１）。
【０１０３】
次に、機器２０は、機器２０を識別する識別情報を含む設定情報取得要求を機器管理装置１０に送信する（ステップＳ２）。次に、機器管理装置１０は、設定情報取得要求に含まれる識別情報を用いて、機器２０が通信網３０に接続した位置を特定して、識別情報で識別される機器２０が現在使用されている使用場所情報を取得する（ステップＳ３）。次に、機器管理装置１０は、機器設定情報部１０２が保持する機器設定情報の中から、受信した設定情報取得要求に含まれる識別情報と、取得した使用場所情報とを用いて、設定情報を選定する（ステップＳ４）。次に、機器管理装置１０は、選定した設定情報を機器２０に送信する（ステップＳ５）。
【０１０４】
次に、機器２０は、機器管理装置１０から機器２０の設定項目を含む設定情報を取得して保持する（ステップＳ６）。機器２０は、取得した設定情報に基づき、機器２０の設定、又は設定変更を行う（ステップＳ７）。機器２０は、機器設定の処理を終了する（ステップＳ８）。
【０１０５】
以上のシーケンス処理を機器管理システム１に実行させることにより、機器管理装置１０は、機器２０から受信した設定情報取得要求に含まれる識別情報を用いて、機器２０の使用場所情報を取得する。そして、機器管理装置１０は、機器設定情報部１０２が保持する設定情報の中から、受信した設定情報取得要求に含まれる識別情報と、取得した使用場所情報とを用いて、機器２０の設定項目を含む設定情報を選定するため、ネットワーク機器が一時的な場所移動により本来設置される場所以外で使用する場合に、最低限必要な設定情報を選定してネットワーク機器に最低限の設定情報を設定することができる、という有利な効果を達成できる。
【０１０６】
次に、図８を参照しながら、機器管理装置１０が機器２０の設定項目を含む設定情報を選定する他の処理動作の一例を説明する。なお、以下では、機器２０から受信した設定情報取得要求に識別情報と設置場所情報とを含む場合について説明する。図８は、機器管理装置が機器の設定項目を含む設定情報を選定する他の処理動作の一例を示すシーケンス図である。
【０１０７】
まず、機器２０の制御部２０６は、図示しない表示部に機器２０の設置場所情報を登録するためのＵＩ（ｕｓｅｒ  ｉｎｔｅｒｆａｃｅ）表示をする。機器２０は、自身の機器２０が本来設置される場所を示す設置場所情報の入力を受け付けて、入力された設置場所情報を登録して保持する（ステップＳ１１）。設置場所情報は、図４及び図５に示したものである。
【０１０８】
機器管理装置１０の制御部１０７は、図示しない表示部に機器２０の設置場所情報を登録するためのＵＩ（ｕｓｅｒ  ｉｎｔｅｒｆａｃｅ）表示をする。機器管理装置１０は、図４及び図５に示したように、機器２０が使用される１以上の使用場所情報ごとに、機器２０を識別する識別情報と、機器２０が本来設置される場所を示す設置場所情報と、機器２０の設定項目を含む設定情報とを対応付けた情報を示す機器設定情報を登録して保持する（ステップＳ１２）。
【０１０９】
次に、機器２０は、機器２０を識別する識別情報と、機器２０が本来設置される場所を示す設置場所情報とを含む設定情報取得要求を機器管理装置１０に送信する（ステップＳ１３）。次に、機器管理装置１０は、設定情報取得要求に含まれる識別情報を用いて、機器２０が通信網３０に接続した位置を特定して、識別情報で識別される機器２０が現在使用されている使用場所情報を取得する（ステップＳ１４）。次に、機器管理装置１０は、機器設定情報部１０２が保持する機器設定情報の中から、受信した設定情報取得要求に含まれる識別情報と設置場所情報と、取得した使用場所情報とを用いて、設定情報を選定する（ステップＳ１５）。次に、機器管理装置１０は、選定した設定情報を機器２０に送信する（ステップＳ１６）。
【０１１０】
次に、機器２０は、機器管理装置１０から機器２０の設定項目を含む設定情報を取得して保持する（ステップＳ１７）。機器２０は、取得した設定情報に基づき、機器２０の設定、又は設定変更を行う（ステップＳ１８）。機器２０は、機器設定の処理を終了する（ステップＳ１９）。
【０１１１】
以上のシーケンス処理を機器管理システム１に実行させることにより、機器管理装置１０は、機器２０から受信した設定情報取得要求に含まれる識別情報を用いて、機器２０の使用場所情報を取得する。そして、機器管理装置１０は、機器設定情報部１０２が保持する設定情報の中から、受信した設定情報取得要求に含まれる識別情報と設置場所情報と、取得した使用場所情報とを用いて、機器２０の設定項目を含む設定情報を選定するため、ネットワーク機器が一時的な場所移動により本来設置される場所以外で使用する場合に、最低限必要な設定情報を選定してネットワーク機器に最低限の設定情報を設定することができる、という有利な効果を達成できる。
【０１１２】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施の形態に示される全構成要素から幾つかの構成要素を削除してもよい。さらに、異なる実施形態にわたる構成要素を適宜組み合わせてもよい。
【０１１３】
例えば、上述の機器設定情報部１０２、機器管理部１０４、機器情報管理部２０５は、機器管理装置１０および機器２０の各々に分散されて搭載される形態であってもよい。また、例えば上述の機器設定情報部１０２、機器管理部１０４、機器情報管理部２０５は、機器管理装置１０、機器２０、および、１以上の外部装置（例えばサーバ装置）の各々に分散されて搭載される形態であってもよい。
【０１１４】
また、上述した各実施形態の機器管理システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０１１５】
なお、本実施形態の機器管理装置１０と、機器２０とが接続されたシステム構成は一例であり、用途や目的に応じて様々なシステム構成例があることは言うまでもない。
【符号の説明】
【０１１６】
１  機器管理システム
１０  機器管理装置
１２  ＨＤＤ
１３  メモリ装置
１４  ＣＰＵ
１５  インタフェース装置
１６  表示装置
１７  入力装置
１８  システムバス
２０、２０ａ、２０ｂ、２０ｃ  機器
３０  通信網
１０１  通信部
１０２  機器設定情報部
１０３  使用場所情報取得部
１０４  機器管理部
１０５  選定部
１０６  設定情報送信部
１０７  制御部
２０１  通信部
２０２  設定情報要求部
２０３  設定情報取得部
２０４  設定部
２０５  機器情報管理部
２０６  制御部
【先行技術文献】
【特許文献】
【０１１７】
【特許文献１】特開２０１２−０８８８４６号公報
【図１】
2015166914.tif 000003
【図２】
2015166914.tif 000004
【図３】
2015166914.tif 000005
【図４】
2015166914.tif 000006
【図５】
2015166914.tif 000007
【図６】
2015166914.tif 000008
【図７】
2015166914.tif 000009
【図８】
2015166914.tif 000010